(57)【特許請求の範囲】
【請求項１】
天板の後端部下面と所要寸法離間して設けられた幕板の上端に前向きとして取付けられ、かつ前端部に上片と下片とが連設された保持板における前記上片と下片との間の空間部内に、ダクト本体の後端部を前後方向に移動可能として嵌合するとともに、空間部内において後限に位置しているとき、ダクト本体の後端部の上下の面を、それぞれ前記上片の後方寄りの下面と下片の前端部上面とにより受支することにより、ダクト本体がほぼ水平状態で保持されるようにしたことを特徴とする机等における配線ダクト構造。
【請求項２】
ダクト本体の後端に下向きの係止部を設け、ダクト本体を前方に引き出したとき、前記係止部が下方の前端に形成した上向折曲部に当接するようにした請求項１に記載の机等における配線ダクト構造。
【請求項３】
ダクト本体を空間部内の後限位置に保持し、前方への抜け出しを規制する離脱防止手段を設けた請求項１または２に記載の机等における配線ダクト構造。
【請求項４】
離脱防止手段が、ダクト本体における後端部の上下いずれか一方の面に、上片又は下片の前端と当接可能として設けられた係止突条である請求項３に記載の机等における配線ダクト構造。
【請求項５】
ダクト本体の後端が、上片と下片との空間部内の前限に位置したとき、ダクト本体全体が下片の前端部を中心として下向きに回動しうるようにし、かつ所定位置まで回動したとき空間部より離脱するようにした請求項１ないし４のいずれかに記載の机等における配線ダクト構造。
【請求項６】
保持板の後端に、前後方向に弾性変形可能な閉塞片を、その上端が天板の下面と当接又は近接するようにして上向きに立設した請求項１ないし５のいずれかに記載の机等における配線ダクト構造。
【発明の詳細な説明】
【０００１】
【発明の属する技術分野】
本発明は、机等の天板の下方に設けられる配線ダクト構造に関する。
【０００２】
【従来の技術】
机上のＯＡ機器等よりコード類を配線する際、その余長コード類を天板の下方に収納する従来の配線ダクト構造としては、例えば実公平７−９８１号公報に記載されているものがある。
【０００３】
【発明が解決しようとする課題】
上述した従来の配線ダクト構造は、後端部寄りに上下に折曲可能なヒンジ部を備えるダクト本体（支持基板）における前端部上面に、上向きの係止片を立設して構成され、ダクト本体の後端を幕板の上端に、かつ上記係止片を天板下方の補助部材に着脱可能として係合することにより、机の天板下において、ヒンジ部を中心に下向きに回動、傾斜させうるように設けられている。
【０００４】
上記のように、ダクト本体を、その前端部上面の係止片を天板下方の補強部材に係合して保持するようにすると、補強部材の前後方向の取付位置によってダクト本体の前後長も変える必要があり、補強部材の位置の異なる机毎に、前後寸法の異なるダクト本体を複数製作しなければならない。
【０００５】
また、机の前方寄りに補強部材を有するものでは、必要以上にダクト本体の前後長が長くなり、コード類の配線に使用されない部分が無駄となる。
さらに、ダクト本体が不要となったとしても、机より取外すことができない。
【０００６】
本発明は、上記問題点を解決するためになされたもので、補強部材を使用せずにダクト本体を係止しうるようにすることにより、その前後長をコード類の配線、収納に必要な最小限の長さとし、かつ不要時にはダクト本体を取外すことができるようにした机等における配線ダクト構造を提供することを目的としている。
【０００７】
【課題を解決するための手段】
上記目的を達成するために、本発明の配線ダクト構造は、天板の後端部下面と所要寸法離間して設けられた幕板の上端に前向きとして取付けられ、かつ前端部に上片と下片とが連設された保持板における前記上片と下片との間の空間部内に、ダクト本体の後端部を前後方向に移動可能として嵌合するとともに、空間部内において後限に位置しているとき、ダクト本体の後端部の上下の面を、それぞれ前記上片の後方寄りの下面と下片の前端部上面とにより受支することにより、ダクト本体がほぼ水平状態で保持されるようにしたことを特徴としている。
上記構成の本発明によると、ダクト本体を、幕板に取付けられた保持板により保持するようにしたことにより、従来のように補強部材の取付位置によってダクト本体の前後長を変える必要はなく、コード類の配線や収納に必要な最小限の長さに形成することができる。
【０００８】
上記配線ダクト構造において、ダクト本体の後端に下向きの係止部を設け、ダクト本体を前方に引き出したとき、前記係止部が下方の前端に形成した上向折曲部に当接するようにすることが好ましい。
このようにすると、ダクト本体を最大限前方に引き出しても、保持板から脱落するのが防止される。
【０００９】
上記配線ダクト構造において、ダクト本体を空間部内の後限位置に保持し、前方への抜け出しを規制する離脱防止手段を設けるのが好ましい。
このようにすると、ダクト本体が水平の使用状態にあるとき、妄りに前方に移動することがなく、コード類を安定的に収納しておくことができる。
【００１０】
上記配線ダクト構造において、離脱防止手段が、ダクト本体における後端部の上下いずれか一方の面に、上片又は下片の前端と当接可能として設けられた係止突条であることが好ましい。
このようにすると、ダクト本体の前方への移動が確実に防止される。
【００１１】
上記配線ダクト構造において、ダクト本体の後端が、上片と下片との空間部内の前限に位置したとき、ダクト本体全体が下片の前端部を中心として下向きに回動しうるようにし、かつ所定位置まで回動したとき空間部より離脱するようにすることが好ましい。
このようにすると、ダクト本体を下向きに傾斜させて、机の前方よりコード類の配線や収納作業を容易に行うことができる。また、ダクト本体が不要となったときに取外すことができる。
【００１２】
上記配線ダクト構造において、保持板の後端に、前後方向に弾性変形可能な閉塞片を、その上端が天板の下面と当接又は近接するようにして上向きに立設するのが好ましい。
このようにすると、閉塞片を前方に弾性変形させることにより、コード類を机の後方よりダクト本体内に配線したり収納したりすることができ、かつ収納後において天板と幕板間の隙間が体裁よく塞がれる。
【００１３】
【発明の実施の形態】
以下、本発明の実施例を図面に基づいて説明する。
【００１４】
図１は、本発明を適用した机の要部の中央縦断左側面図（以下、方向は図１の左方を前として説明する）を示すもので、左右１対の脚体１の天板支持杆２上には、天板３が載置されている。
【００１５】
脚体１における中間支柱４と後部支柱５との間の開放部には、側板６が取付けられ、また、後部支柱５間には、幕板７が、その上端と天板３の下面との間に所要の隙間Ｓが形成されるように取付けられている。
天板３の後端寄りに形成された貫通孔８には、電源コード挿し込み用のテーブルタップ９が嵌合されている。
【００１６】
幕板７の上端には、後記する配線ダクトの取付板１０が、その下端に突設された複数の抜け止めピン１０ａを、幕板７の係合孔７ａに押し込むことにより、幕板７のほぼ全幅に亘って取付けられている。
この取付板１０の上部には、上方と両側面が開口するあり溝状の係合溝１１が形成されている。
【００１７】
１２は、ダクト本体１３と保持板１４とからなる配線ダクトで、次のように構成されている。すなわち、ダクト本体１３は、図２にも示すように、合成樹脂により一体成形され、その左右長は、左右の脚体１内に収容可能な長さとしてある。
【００１８】
ダクト本体１３の前端には、上向きの折曲片１３ａが連設され、また中間部上面には、互いに平行をなす前後１対の仕切片１５，１５が、左右方向を向いて上向きに連設されている。
【００１９】
ダクト本体１３の後端には、下向鉤状の係止部１６が、左右方向を向いて連設され、また後端寄りの上面には、上向きに膨出する円弧状断面の係止突条１７が、左右方向を向いて形成されている。
【００２０】
保持板１４は、合成樹脂により、上記ダクト本体１３の左右長とほぼ等長をなすように一体成形され、その後端には、若干前傾するとともに、上端を円弧状に前向きに折曲させた閉塞片１８が、保持板１４の全幅に亘って上向きに連設されている。この閉塞片１８の上下寸法は、上記幕板７と天板３との間の隙間Ｓを閉塞しうるように、それとほぼ同等に形成され、かつ前方に押動した際、基端部を中心として前向きに弾性変形しうるようになっている。
【００２１】
保持板１４の下面における中央よりもやや後方寄りには、上記取付板１０の係合溝１１に側方に摺動可能として嵌合される逆Ｔ字状断面の係止片１９が、左右方向を向いて連設されている。
【００２２】
保持板１４の前端部は、上片１４ａと下片１４ｂとに２又状に分岐され、それらの対向面間には、前方と側方が開口するとともに、ダクト本体１２の後端部が収容可能な空間部が形成されている。上片１４ａの前後長は、ダクト本体１３における後端から係止突条１７までの長さよりも若干長く、かつ前端には下向折曲部１４ｃが形成されている。
【００２３】
下片１４ｂは上片１４ａよりも若干短く、かつその前端には、先端を円弧状断面とした上向折曲部１４ｄが形成されている。この上向折曲部１４ｄと上記下向折曲部１４ｃ間の上下方向の離間寸法は、ダクト本体１３の板厚とほぼ同等としてある。
【００２４】
上片１４ａの基端部には、所要長さの水平の受部１４ｅが形成され、その下面と上記下向折曲部１４ｃの下端との上下方向の高さは、ほぼ整合するようにしてある。
【００２５】
上記構成の配線ダクト１２を天板３の後端直下に取付けるには、幕板７を両脚体１間に取付ける前に、まず保持板１４を、その下面の係止片１９を取付板１０の係合溝１１に側方より嵌合することにより装着する。
【００２６】
ついで、幕板７を両脚体１間に取付けたのち、ダクト本体１３の後端部を、保持板１４における上片１４ａと下片１４ｂ間の空間部内に、上片１４ａの受部１４ｅの下方に位置するとともに、係止突条１７が下向折曲部１４ｃを乗り越えて空間部内に位置するまで嵌合する（図１の状態）。この嵌合に当たっては、後述するように、ダクト本体１３を保持板１４より取外す際の逆の操作により容易に行うことができる。
【００２７】
保持板１４の空間部内に嵌合されたダクト本体１３は、その後端部上面が受部１４ｅの下面により受支されることにより、ほぼ水平状態に保持され、折曲片１３ａと仕切片１５との間及び両仕切片１５間に、電源コード２０や他の余長ケーブル等を載置して収納することができる。
【００２８】
また、閉塞片１８を若干前方に弾性変形させるだけで、机の後方より余長ケーブル等をダクト本体１３に収納することができ、しかも収納後において隙間Ｓは閉塞片１８により塞がれるので、収納したケーブル等が露呈することはない。
【００２９】
ダクト本体１３が保持板１４に保持された状態では、係止突条１７が上片１４ａの下向折曲部１４ｃの内方（後方）に位置しているので、ダクト本体１３が妄りに前方に移動して下向きに回動したり、抜け外れたりすることはない。
【００３０】
コード類を配線したり収納したりする作業は、図３に示すようにして容易に行うことができる。
すなわち、ダクト本体１３を強く前方に引っ張ると、上片１４ａが上向きに弾性変形して係止突条１７が前方に抜け出し、かつ下向きの係止部１６が下片１４ｂの上向折曲部１４ｄと当接することにより、ダクト本体１３の脱落が防止されて係止部１６を中心として下向きに回動させることができる。
【００３１】
従って、電源コード２０や余長ケーブル等を、机の前方から傾斜させたダクト本体１３内に容易に配線又は収納することができ、また配線等の終了後において水平位置まで上向きに回動させ、後方に押し込むことにより、ダクト本体１３は保持板１４により再度水平に保持される。
【００３２】
ダクト本体１３を保持板１４より取外す際は、上記と同様、ダクト本体１３を前方に強く引っ張って下向きに回動させ、図３の想像線のように、垂直位置よりもさらに後上方に回動させればよい。すると、ダクト本体１３の後端が、上片１４ａを上向きに弾性変形させて下向折曲部１４ｃより抜け出すため、保持板１４より簡単に取外すことができる。なお、保持板１４にダクト本体１３を取付ける際は、上記の逆の手順で行えばよい。
【００３３】
以上説明したように、上記実施例の配線ダクト構造においては、ダクト本体１３を保持板１４により保持するようにしているため、従来のように、天板下の補強部材の取付位置によってダクト本体１３の前後長が左右されることはなく、従ってダクト本体１３の長さを、コード類の配線や収納に適した最小限の長さとすることができ、製造時の材料を節約しうる。
また、ダクト本体１３が不要となったときには、それを取外すことができるので、天板３の下方に大きな空間が形成される。
【００３４】
本発明は、上記実施例に限定されるものではなく、種々の実施形態をとり得る。
上記実施例では、ダクト本体１３の後端部を保持板１４の上片１４ａと下片１４ｂ間の空間部内に保持し、前方への抜け出しを規制する離脱防止手段に、係止突条１７を用いているが、次のようにすれば、係止突条１７を省略することもできる。すなわち、例えば上片１４ａに形成した受部１４ｅの前後長を長めに設定し、ダクト本体１３の後端部上面が接触する面積を大とすれば、互いの摩擦抵抗も大きくなり、ダクト本体１３が簡単に前方に移動することはなくなる。
【００３５】
また、受部１４ｅを長くする代りに、その下面とダクト本体１３の後端部上面とのいずれか一方、又は両方に、微細な凹凸を形成したり、左右方向を向く多数の凹凸状を形成するなどして粗面としてもよく、このようにしても、互いの接触面の摩擦抵抗が増大するので、ダクト本体１３の抜け出しが防止される。
【００３６】
係止突条１７をダクト本体１３の下面側に設け、下片１４ｂの上向折曲部１４ｄと当接するようにしてもよい。
また、保持板１４を幕板７に取付けるのに、取付板１０を用いているが、この取付板１０を用いているが、この取付板１０を省略して、幕板７の上面に直接係合溝１１を形成し、これに保持板１４の係止片１９を嵌合して取付けたり、又はビス等により幕板７に固定してもよい。
【００３７】
【発明の効果】
本発明によれば、次のような効果が得られる。
【００３８】
（ａ）請求項１に記載の発明によれば、ダクト本体の前後長を、天板下の補強部材の位置に左右されることなく、コード類の配線や収納に適した寸法に自在に設定することができる。従って、前後の長さに無駄な部分がなくなり、製造時の材料が節約される。
【００３９】
（ｂ）請求項２に記載の発明によれば、ダクト本体を最大限前方に引き出しても、保持板から脱落することはない。
【００４０】
（ｃ）請求項３に記載の発明によれば、ダクト本体が水平の使用状態にあるとき、妄りに前方に移動するのが防止され、コード類を安定的に収納しておくことができる。
【００４１】
（ｄ）請求項４に記載の発明によれば、ダクト本体の前方への移動が確実に防止される。
【００４２】
（ｅ）請求項５に記載の発明によれば、ダクト本体を下向きに傾斜させて、コード類の配線や収納作業等を机の前方より容易に行うことができる。また、不要時にはダクト本体を取外すことができる。
【００４３】
（ｆ）請求項６に記載の発明によれば、閉塞片を前方に弾性変形させるだけで、コード類を机の後方よりダクト本体内に配線したり収納したりすることができ、かつ収納後において天板と幕板間の隙間が体裁よく塞がれるので、コード類が外部に露呈することはない。
【００４４】
【図面の簡単な説明】
【図１】本発明を適用した机の要部の中央縦断左側面図である。
【図２】同じく、配線ダクトの一部の分解斜視図である。
【図３】同じく、ダクト本体を回動又は取外す際の要領を示す要部の拡大縦断側面図である。
【符号の説明】
１              脚体
２              天板支持杆
３              天板
４              中間支柱
５              後部支柱
６              側板
７              幕板
７ａ            係合孔
８              貫通孔
９              テーブルタップ
１０              取付板
１０ａ            抜け止めピン
１１              係合溝
１２              配線ダクト
１３              ダクト本体
１３ａ            折曲片
１４              保持板
１４ａ            上片
１４ｂ            下片
１４ｃ            下向折曲部
１４ｄ            上向折曲部
１４ｅ            受部
１５              仕切片
１６              係止部
１７              係止突条
１８              閉塞片
１９              係止片
２０              電源コード
Ｓ              隙間
【図１】
0004313454.tif 000002
【図２】
0004313454.tif 000003
【図３】
0004313454.tif 000004